(57)【要約】【課題】互いに並列に接続された複数の負荷と、該複数の負荷に駆動電流を供給する駆動手段とを有する装置において該負荷の駆動状態を検出する状態検出装置に関し、複数の負荷の駆動状態を簡単に、かつ、確実に検出できる状態検出装置を提供することを目的とする。【解決手段】本発明は、互いに並列に接続された複数の負荷（１１−１〜１１−４）と、複数の負荷（１１−１〜１１−４）に駆動電流を供給する駆動手段（１２）とを有する装置において負荷（１１−１〜１１−４）の駆動状態を検出する状態検出装置（１）であって、複数の負荷（１１−１〜１１−４）を複数の対に分け、各対に流れる電流を検出する検出手段（４１−１、４１−２）と、検出手段（４１−１、４１−２）で検出された検出電圧（Ｖ１、Ｖ２）を合成した合成電圧（Ｖ３）を生成する合成電圧生成手段（４２）と、合成電圧生成手段（４２）で生成された合成電圧（Ｖ３）と複数の検出電圧（Ｖ１、Ｖ２）との大小関係に応じて複数の負荷（１１−１〜１１−４）の駆動状態を検出する状態検出手段（４３−１、４３−２）とを有することを特徴とする。【選択図】図１
2005216770.tif 000002
【特許請求の範囲】
【請求項１】
互いに並列に接続された複数の負荷と、該複数の負荷に駆動電流を供給する駆動手段とを有する装置において該負荷の駆動状態を検出する状態検出装置であって、
前記複数の負荷を複数の対に分け、各対に印加される印加電圧を検出する印加電圧検出手段と、
前記印加電圧検出手段で検出された複数の印加電圧を合成した電圧を生成する合成電圧生成手段と、
前記合成電圧生成手段で生成された合成電圧と前記複数の印加電圧との大小関係に応じて前記複数の負荷の駆動状態を検出する状態検出手段とを有することを特徴とする状態検出装置。
【請求項２】
前記合成電圧生成手段で生成された合成電圧に応じて前記複数の負荷の駆動状態を検出する第２の状態検出手段を有することを特徴とする請求項１記載の状態検出装置。
【請求項３】
前記駆動手段から前記複数の負荷に供給される電流を検出し、該電流に応じて前記複数の負荷の駆動状態を検出する第３の状態検出手段を有することを特徴とする請求項１又は２記載の状態検出装置。
【請求項４】
前記負荷は、放電管であることを特徴とする請求項１乃至３のいずれか一項記載の状態検出装置。
【発明の詳細な説明】
【技術分野】
【０００１】
本発明は状態検出装置に係り、特に、互いに並列に接続された複数の負荷と、該複数の負荷に駆動電流を供給する駆動手段とを有する装置において該負荷の駆動状態を検出する状態検出装置に関する。
【背景技術】
【０００２】
近年、コンピュータ用、あるいは、テレビジョン用のディスプレイとして、薄型、小電力である液晶ディスプレイが注目されている。液晶ディスプレイには、透過型のものと、反射型のものがある。このうち、透過型の液晶ディスプレイでは、液晶画面の裏から光を供給するためのバックライトが設けられている。
【０００３】
バックライトには、多くの場合、冷陰極管（ＣＣＦＬ）などの放電管が用いられている。冷陰極管の本数は、液晶ディスプレイのサイズによって、増やされる。例えば、１７インチの液晶ディスプレイの場合、通常、４本の冷陰極管が用いられている。
【０００４】
図４は４灯の冷陰極管を用いたシステム構成図を示す。
【０００５】
４本の冷陰極管１０１−１〜１０１−４を搭載する場合、接続を簡略化するため、冷陰極管１０１−１と冷陰極管１０１−２とからなる対及び冷陰極管１０１−３と冷陰極管１０１−４とからなる対に分けて、各々の冷陰極管の対を３ピンのコネクタＣＮ１、ＣＮ２で接続する構成としていた。
【０００６】
コネクタＣＮ１は、端子Ｔ11、Ｔ12、Ｔ13の３つの端子から構成され、コネクタＣＮ２は、端子Ｔ21、Ｔ22、Ｔ23の３つの端子から構成されている。
【０００７】
図４に示すように冷陰極管１０１−１の高電圧側は端子Ｔ11に接続され、冷陰極管１０１−２の高電圧側は端子Ｔ12に接続され、冷陰極管１０１−１の低電圧側と冷陰極管１０１−２の低電圧側とが一つの接続点とされ、端子Ｔ13に接続される。また、冷陰極管１０１−３の高電圧側は端子Ｔ21に接続され、冷陰極管１０１−４の高電圧側は端子Ｔ22に接続され、冷陰極管１０１−３の低電圧側と冷陰極管１０１−４の低電圧側とが一つの接続点とされ、端子Ｔ23に接続される。なお、端子Ｔ11、Ｔ12、Ｔ21、Ｔ22は、各々コンデンサＣを介して一つの接続点に接続され、駆動回路などに接続され、端子Ｔ13、Ｔ23は抵抗などを介して接地に接続される。
【０００８】
このとき、冷陰極管は、一般に放電管は高電圧で起動し、動作後は低い電圧で動作しており、点灯に失敗した場合には、再起動する必要がある。このため、放電管の点灯状態を検出する必要があった。従来、放電管の点灯を検出する回路では、放電管の両端の電圧を検出していた（例えば、特許文献１、２、３参照）。
【０００９】
【特許文献１】特開平７−４５３７９号公報
【特許文献２】特開平１１−６７４７４号公報
【特許文献３】特開２０００−２１５８６号公報
【発明の開示】
【発明が解決しようとする課題】
【００１０】
しかるに、従来の放電管の点灯を検出する回路は、一灯の点灯、消灯状態を検出するものであり、大型液晶ディスプレイのバックライトのように複数の放電管を有する場合、一灯でも点灯していれば、点灯と判断されてしまう。しかし、大型液晶ディスプレイのバックライトなどのように多灯式のランプ部を使用した場合、一つの放電管の点灯が失敗し、他の放電管が点灯した状態では、液晶ディスプレイの画面の輝度が不均一になり、正常な表示は行えない。よって、一つの放電管の点灯が失敗した場合でも確実に点灯の失敗が検出できる状態検出装置が求められていた。
【００１１】
本発明は上記の点に鑑みてなされたもので、複数の負荷の駆動状態を簡単に、かつ、確実に検出できる状態検出装置を提供することを目的とする。
【課題を解決するための手段】
【００１２】
本発明は、互いに並列に接続された複数の負荷（１１−１〜１１−４）と、複数の負荷（１１−１〜１１−４）に駆動電流を供給する駆動手段（１２）とを有する装置において負荷（１１−１〜１１−４）の駆動状態を検出する状態検出装置（１）であって、複数の負荷（１１−１〜１１−４）を複数の対に分け、各対に流れる電流を検出する検出手段（４１−１、４１−２）と、検出手段（４１−１、４１−２）で検出された検出電圧（Ｖ１、Ｖ２）を合成した合成電圧（Ｖ３）を生成する合成電圧生成手段（４２）と、合成電圧生成手段（４２）で生成された合成電圧（Ｖ３）と複数の検出電圧（Ｖ１、Ｖ２）との大小関係に応じて複数の負荷（１１−１〜１１−４）の駆動状態を検出する状態検出手段（４３−１、４３−２）とを有することを特徴とする。
【００１３】
また、合成電圧生成手段（４２）で生成された合成電圧（Ｖ３）に応じて複数の負荷（１１−１、１１−２）の駆動状態を検出する第２の状態検出手段（４４）を有することを特徴とする。
【００１４】
さらに、駆動手段（１２）から複数の負荷（１１−１〜１１−４）に供給される電流を検出し、電流に応じて複数の負荷（１１−１〜１１−４）の駆動状態を検出する第３の状態検出手段（４５）を有することを特徴とする。
【００１５】
また、負荷（１１−１〜１１−４）は、放電管であることを特徴とする。
【００１６】
なお、参照符号はあくまでも参考であり、これによって、請求の範囲が限定されるものではない。
【発明の効果】
【００１７】
本発明によれば、互いに並列に接続された複数の負荷を複数の対に分け、各対に印加される印加電圧を検出し、検出された複数の印加電圧を合成した電圧を生成し、生成された合成電圧と複数の印加電圧との大小関係に応じて複数の負荷の駆動状態を検出することにより、複数対のいずれかの対で負荷が非駆動状態であるときに、これを検出することができる。よって、複数の負荷の点灯、消灯の状態を確実に検出することができる。
【発明を実施するための最良の形態】
【００１８】
〔第１実施例〕
図１は本発明の第１実施例の回路構成図を示す。
【００１９】
本実施例では、液晶ディスプレイなどのバックライトシステムを例に説明を行う。
【００２０】
本実施例のバックライトシステム１は、ランプ部１１、駆動回路１２、駆動制御回路１３、状態検出装置１４から構成されている。
【００２１】
ランプ部１１は、４本の冷陰極管（ＣＣＦＬ）１１−１〜１１−４、コンデンサＣ11〜Ｃ18から構成されている。冷陰極管１１−１〜１１−４は、互いに並列に接続され、冷陰極管１１−１と冷陰極管１１−２とが低電圧側で接続され、一つの端子Ｔ13として接続可能とされ、冷陰極管１１−３と冷陰極管１１−４とが低電圧側で接続され、一つの端子Ｔ23として接続可能とされている。端子Ｔ13は、抵抗Ｒ11を介して接地されている。また、端子Ｔ23は、抵抗Ｒ12を介して接地されている。
【００２２】
さらに、冷陰極管１１−１の高電圧側は端子Ｔ11に接続されている。端子Ｔ11はコンデンサＣ11、Ｃ12を介して駆動回路１２に接続されている。冷陰極管１１−２の高電圧側は端子Ｔ12に接続されている。端子Ｔ12は、コンデンサＣ13、Ｃ14を介して駆動回路１２に接続されている。冷陰極管１１−３の高電圧側は端子Ｔ21に接続されている。端子Ｔ21は、コンデンサＣ15、Ｃ16を介して駆動回路１２に接続されている。冷陰極管１１−４の高電圧側は端子Ｔ22に接続されている。端子Ｔ22は、コンデンサＣ17、Ｃ18を介して駆動回路１２に接続されている。冷陰極管１１−１〜１１−４には、駆動回路１２から駆動電圧が供給される。ランプ部１１は、駆動回路１２からの駆動電圧によって駆動され、点灯される。
【００２３】
駆動回路１２は、コンデンサＣ20、トランス２１、抵抗Ｒ11、Ｒ12から構成されており、駆動制御回路１３からの駆動信号に応じて冷陰極管１１−１〜１１−４とともに共振して、トランス２１の２次側コイルＬ２から冷陰極管１１−１〜１１−４に駆動電圧を印加する。
【００２４】
駆動制御回路１３は、外部からのランプ点灯指示信号によって駆動回路１２に駆動信号を供給する。
【００２５】
状態検出装置１４は、検出部４１−１、４１−２、中間電位生成部４２、コンパレータ４３−１、４３−２、全消灯状態検出部４４、駆動電流検出部４５、出力部４６から構成される。
【００２６】
検出部４１−１は、ダイオードＤ41、コンデンサＣ41、抵抗Ｒ41から構成され、端子Ｔ13に接続され、端子Ｔ13の電位を整流、平滑化した検出電位Ｖ１を生成する。検出部４１−１で整流・平滑化された検出電位Ｖ１は、コンパレータ４３−１の非反転入力端子及び中間電圧生成部４２に供給される。
【００２７】
検出部４１−２は、ダイオードＤ42、コンデンサＣ42、抵抗Ｒ42から構成され、端子Ｔ23に接続され、端子Ｔ23の電位を整流、平滑化した検出電位Ｖ２を生成する。印加電圧検出部４１−２で整流・平滑化された検出電位Ｖ２は、コンパレータ４３−２の非反転入力端子及び中間電位生成部４２に供給される。
【００２８】
中間電位生成部４２は、ダイオードＤ43、Ｄ44、抵抗Ｒ43、Ｒ44、Ｒ45から構成されており、検出部４１−１の検出電位Ｖ１と検出部４１−２の検出電位Ｖ２とを抵抗Ｒ43〜Ｒ45によって分圧した中間電位Ｖ３を生成する。中間電位生成部４２で生成された中間電圧Ｖ３は、コンパレータ４３−１、４３−２の反転入力端子及び状態検出部４４に供給される。
【００２９】
コンパレータ４３−１は、検出部４１−１で検出された検出電位Ｖ１と中間電位生成部４２で生成された中間電位Ｖ３との大小関係を比較し、検出電位Ｖ１が中間電位Ｖ３より大きいときには、出力Ｂをハイレベルとし、検出電位Ｖ１が中間電位Ｖ３より小さければ、出力Ｂをローレベルとする。コンパレータ４３−１の出力Ｂは、出力部４６に供給される。
【００３０】
コンパレータ４３−２は、検出部４１−２で検出された検出電位Ｖ２と中間電位生成部４２で生成された中間電位Ｖ３とを比較し、検出電位Ｖ２が中間電位Ｖ３より大きいときには、出力Ｃをハイレベルとし、検出電位Ｖ２が中間電位Ｖ３より小さければ、出力Ｃをローレベルとする。コンパレータ４３−２の出力Ｃは、出力部４６に供給される。
【００３１】
また、全消灯状態検出部４４は、抵抗Ｒ46、Ｒ47、コンパレータ４４ａから構成されており、冷陰極管１１−１〜１１−４が全部消灯したことを検出する。抵抗Ｒ46、Ｒ47は、電源電圧Ｖccを分圧して基準電圧Ｖref1を生成する。抵抗Ｒ46、Ｒ47により生成された基準電圧Ｖref1は、コンパレータ４４ａの反転入力端子に供給される。コンパレータ４４ａは、中間電位生成部４２で生成された中間電位Ｖ３と抵抗Ｒ46、Ｒ47で生成された基準電圧Ｖref1とを比較し、中間電位Ｖ３が基準電圧Ｖref1より大きければ、出力Ａをハイレベルとし、中間電位Ｖ３が基準電圧Ｖref1より小さければ、出力Ａをローレベルとする。状態検出部４４の出力Ａは、出力部４６に供給される。
【００３２】
さらに、駆動電流検出部４５は、ランプ部１１に供給される駆動電流を検出し、冷陰極管１１−１又は１１−２及び冷陰極管１１−３又は１１−４の二対一本ずつの消灯の状態を検出する。駆動電流検出部４５は、ダイオードＤ45、コンデンサＣ43、抵抗Ｒ48〜Ｒ50、コンパレータ４５ａから構成される。ダイオードＤ45、コンデンサＣ43、抵抗Ｒ48は、駆動回路１３を構成するトランス２１の１次コイルＬ１の印加電圧を整流、平滑化して検出電圧Ｖ４を生成する。ダイオードＤ45、コンデンサＣ43、抵抗Ｒ48により整流、平滑化された検出電圧Ｖ４は、コンパレータ４５ａの反転入力端子に供給される。
【００３３】
一方、抵抗Ｒ49、Ｒ50は、電源電圧Ｖccを分圧して、基準電圧Ｖref2を生成する。抵抗Ｒ49、Ｒ50で生成された基準電圧Ｖref2は、コンパレータ４５ａの非反転入力端子に供給される。
【００３４】
なお、このとき、抵抗Ｒ49、Ｒ50は、抵抗Ｒ49、Ｒ50により生成される基準電圧Ｖref2が４本の冷陰極管１１−１〜１１−４が点灯されているときの電圧Ｖ４より大きくなるように設定されている。
【００３５】
コンパレータ４５ａは、ダイオードＤ45、コンデンサＣ43、抵抗Ｒ48により整流、平滑化された検出電圧Ｖ４と基準電圧Ｖref2とを比較し、検出電圧Ｖ４が基準電圧Ｖref2より小さければ、出力Ｄをハイレベルとし、検出電圧Ｖ４が基準電圧Ｖref2より大きければ、出力Ｄをローレベルとする。状態検出部４５の出力Ｄは、出力部４６に供給される。
【００３６】
出力部４６は、抵抗Ｒ51、抵抗Ｒ52及びＮＰＮトランジスタＱ１から構成されている。コンパレータ４３−１、４３−２、状態検出部４４、４５の出力Ａ、Ｂ、Ｃ、Ｄは、トランジスタＱ１のベースに供給される。トランジスタＱ１のコレクタには、抵抗Ｒ52を介して電源電圧Ｖccが印加されている。トランジスタＱ１のコレクタと抵抗Ｒ52との接続点に状態出力端子Ｔoutが接続される。また、トランジスタＱ１のエミッタは接地されている。なお、状態出力端子Ｔoutは、駆動制御回路１３に接続されている。
【００３７】
トランジスタＱ１は、冷陰極管１１−１〜１１−４のいずれかが消灯し、コンパレータ４３−１、４３−２、状態検出部４４、４５の出力Ａ、Ｂ、Ｃ、Ｄのいずれかがローレベルとなるとオフし、状態出力端子Ｔoutをハイレベルとする。また、トランジスタＱ１は、冷陰極管１１−１〜１１−４全てが点灯しており、コンパレータ４３−１、４３−２、状態検出部４４、４５の出力Ａ、Ｂ、Ｃ、Ｄが全てハイレベルのときには、オンし、状態出力端子Ｔoutをローレベルとする。
【００３８】
駆動制御回路１３は、状態出力端子Ｔoutがローレベルのときには、冷陰極管１１−１〜１１−４の全てが点灯していると判断して、駆動回路１２に駆動信号を供給し、ランプ部１１の点灯を続ける。また、駆動制御回路１３は、状態出力端子Ｔoutがハイレベルのときには、冷陰極管１１−１〜１１−４の少なくとも一本の冷陰極管が点灯に失敗、あるいは、故障しており、消灯していると判断して、駆動回路１２への駆動信号の供給を停止し、ランプ部１１の駆動を停止する。
【００３９】
次に本実施例のバックライトシステム１の動作について説明する。
【００４０】
図２は本発明の第１実施例の動作説明図を示す。
【００４１】
駆動制御回路１３に外部から点灯指示信号が供給されると、駆動制御回路１３は、駆動回路１２に駆動信号を供給する。
【００４２】
駆動回路１２は、冷陰極管１１−１〜１１−４と共振する。冷陰極管１１−１〜１１−４は駆動回路１２と共振すると、駆動電流が流れ、点灯する。
【００４３】
〔状態１〕
このとき、冷陰極管１１−１〜１１−４のすべてが点灯すると、検出部４１−１、４１−２の検出電位Ｖ１、Ｖ２が所定の電圧Ｖ11となる。ここで、抵抗Ｒ43、Ｒ44、Ｒ45を
Ｒ43＝Ｒ44＝（Ｒ45／３）
とすると、中点電位Ｖ３は、
Ｖ３＝０．７５×Ｖ11
となる。
【００４４】
したがって、コンパレータ４３−１、４３−２の出力Ｂ、Ｃは、共にハイレベルとなる。また、全消灯検出部４４は、中間電圧Ｖ３が基準電圧Ｖref1より大きくなるので、出力Ａもハイレベルとなる。電圧Ｖ４が基準電圧Ｖref2より小さくなるので、出力Ｄはハイレベルとなる。
【００４５】
よって、冷陰極管１１−１〜１１−４のすべてが点灯するので、出力Ａ〜Ｄの全てがハイレベルとなる。よって、トランジスタＱ１がオンし、状態出力端子Ｔoutがローレベルとなる。状態出力端子Ｔoutがローレベルのときには、駆動制御回路１３は冷陰極管１１−１〜１１−４が全て点灯状態にあると認識して、点灯を継続する。
【００４６】
〔状態２〕
また、冷陰極管１１−１〜１１−４のうち一本の冷陰極管、例えば、冷陰極管１１−１が消灯すると、検出部４１−１の検出電位Ｖ１が
Ｖ１＝｛（２／３）×Ｖ11｝
となり、検出部４１−２の検出電位Ｖ２が
Ｖ２＝｛（４／３）×Ｖ11｝
となる。したがって、検出電位Ｖ１、Ｖ２から中間電位Ｖ３は、
Ｖ３＝｛（４／３）×０．７５×Ｖ11｝
となる。
【００４７】
したがって、検出電位Ｖ１は中間電位Ｖ３より小さくなるので、コンパレータ４３−１の出力Ｂがローレベルとなる。
【００４８】
コンパレータ４３−１の出力がローレベルとなると、トランジスタＱ１がオフし、状態出力端子Ｔoutがハイレベルとなる。状態検出端子Ｔoutがハイレベルになると、駆動制御回路１３は、冷陰極管１１−１〜１１−４のいずれかが消灯していると判断して、駆動回路１２への駆動信号の供給を中止して、ランプ部１１を消灯させる。
【００４９】
〔状態３〕
冷陰極管１１−１〜１１−４のうち検出部４１−１、４１−２のいずれか一方で検出される一対の冷陰極管、例えば、冷陰極管１１−１、１１−２がともに消灯すると、検出部４１−１の検出電位Ｖ１が「０」
Ｖ１＝０
となり、検出部４１−２の検出電位Ｖ２が
Ｖ２＝２×Ｖ11
となる。したがって、検出電位Ｖ１、Ｖ２から中間電位Ｖ３は、
Ｖ３＝（２×０．７５×Ｖ11）
となる。
【００５０】
したがって、検出電位Ｖ１は中間電位Ｖ３より小さくなるので、コンパレータ４３−１の出力Ｂがローレベルとなる。
【００５１】
コンパレータ４３−１の出力がローレベルとなると、トランジスタＱ１がオフし、状態出力端子Ｔoutがハイレベルとなる。状態検出端子Ｔoutがハイレベルになると、駆動制御回路１３は、冷陰極管１１−１〜１１−４のいずれかが消灯していると判断して、駆動回路１２への駆動信号の供給を中止して、ランプ部１１を消灯させる。
【００５２】
〔状態４〕
冷陰極管１１−１〜１１−４のすべてが消灯すると、検出部４１−１の検出電位Ｖ１及び検出部４１−２の検出電位Ｖ２がともに「０」、
Ｖ１＝０
Ｖ２＝０
となる。
【００５３】
また、検出電位Ｖ１、Ｖ２がともに「０」であるので、中間電位Ｖ３も「０」となる。このため、コンパレータ４３−１、４３−２の出力は不定となる。一方、全消灯状態検出部４４の出力は、中間電位Ｖ３と基準電圧Ｖref1とを比較しているので、中間電位Ｖ３が「０」電位となると、その出力はローレベルとなる。
【００５４】
状態検出部４４の出力がローレベルとなると、トランジスタＱ１がオフし、状態出力端子Ｔoutがハイレベルとなる。状態検出端子Ｔoutがハイレベルになると、駆動制御回路１３は、冷陰極管１１−１〜１１−４のいずれかが消灯していると判断して、駆動回路１２への駆動信号の供給を中止して、ランプ部１１を消灯させる。
【００５５】
〔状態５〕
このとき、冷陰極管１１−１〜１１−４のうち検出部４１−１により駆動電流が検出される冷陰極管１１−１、１１−２の対と検出部４１−２により駆動電流が検出される冷陰極管１１−３、１１−４の対の各々一本の冷陰極管、例えば、冷陰極管１１−１及び冷陰極管１１−３が消灯した場合には、検出電位Ｖ１、Ｖ２は共に所定の電圧Ｖ11となる。ここで、抵抗Ｒ43、Ｒ44、Ｒ45を
Ｒ43＝Ｒ44＝（Ｒ45／３）
とすると、中点電位Ｖ３は、
Ｖ３＝０．７５×Ｖ11
となる。
【００５６】
したがって、コンパレータ４３−１、４３−２の出力Ｂ、Ｃは、共にハイレベルとなる。また、全消灯検出部４４は、中間電圧Ｖ３が基準電圧Ｖref1より大きくなるので、出力Ａもハイレベルとなる。ランプ部１１には、通常の駆動電流が供給される。しかし、通常時、冷陰極管１本に流れる電流をＩとすると、この場合、冷陰極管は２本しか点灯していないので、冷陰極管１本に流れる電流は（２×Ｉ）となる。したがって、高電圧側のコンデンサの電圧は、通常時の電圧の２倍となり、トランス２１の１次側の電圧も上昇するため、電圧Ｖ４が基準電圧Ｖref2より大きくなり、状態検出部４５の出力Ｄはローレベルとなる。
【００５７】
状態検出部４５の出力Ｄがローレベルとなると、トランジスタＱ１がオフし、状態出力端子Ｔoutがハイレベルとなる。状態検出端子Ｔoutがハイレベルになると、駆動制御回路１３は、冷陰極管１１−１〜１１−４のいずれかが消灯していると判断して、駆動回路１２への駆動信号の供給を中止して、ランプ部１１を消灯させる。
【００５８】
以上により、４本の冷陰極管１１−１〜１１−４の点灯状態をすべての組み合わせについて検出可能となり、確実に冷陰極管１１−１〜１１−４の状態を検出できる。
【００５９】
〔第２実施例〕
図３は本発明の第２実施例の回路構成図を示す。同図中、図１と同一構成部分には同一符号を付し、その説明は省略する。
【００６０】
本実施例のバックライトシステム１００は、ランプ部１１１がｎ本の冷陰極管１１−１〜１１−ｎから構成されている。
【００６１】
また、ｎ本の冷陰極管１１−１〜１１−ｎは、２本で１対とされて、検出部１４１−１〜１４１−(n/2)により、駆動回路１１２を構成する抵抗Ｒ11〜Ｒ1nとの接続点の電位が検出される。なお、検出部１４１−１〜１４１−(n/2)は、検出部４１と同一の構成とされている。検出部１４１−１〜１４１−(n/2)で検出された検出電位Ｖ１〜Ｖ（n/2）は、中間電位検出部１４２及びコンパレータ１４３−１〜１４３−（2/n）の反転入力端子に供給される。
【００６２】
中間電位検出部１４２は、ダイオードＤ102-1〜Ｄ102-(n/2)、抵抗Ｒ102-1〜Ｒ102-(n/2)、抵抗Ｒ45から構成され、中間電位Ｖ３を生成する。
【００６３】
コンパレータ１４３−１〜１４３−（2/n）は、検出電位Ｖ１〜Ｖ(n/2)と中間電位Ｖ３とを比較して、検出電位Ｖ１〜Ｖ(n/2)が中間電位Ｖ３より大きいときに、出力をハイレベルとし、検出電位Ｖ１〜Ｖ(n/2)が中間電位Ｖ３より小さければ、出力をローレベルとする。
コンパレータ４３−１〜４３−（2/n）の出力は、出力回路４６に供給される。
【００６４】
本実施例によれば、ｎ本の冷陰極管１１−１〜１１−ｎを駆動した際の点灯時の状態を確実に検出することができる。
【図面の簡単な説明】
【００６５】
【図１】本発明の第１実施例の回路構成図である。
【図２】本発明の第１実施例の動作説明図である。
【図３】本発明の第２実施例の回路構成図である。
【図４】バックライトのシステム構成図である。
【符号の説明】
【００６６】
１  バックライトシステム
１１  ランプ部
１１−１〜１１−４  冷陰極管、１２  駆動回路、１３  駆動制御回路
１４  状態検出装置
２１  トランス、４１−１、４１−２  検出部、４２  中間電位検出部
４３−１、４３−２  コンパレータ、４４、４５  状態検出部
【図１】
2005216770.tif 000003
【図２】
2005216770.tif 000004
【図３】
2005216770.tif 000005
【図４】
2005216770.tif 000006